(57)【要約】【課題】電気機器のオン／オフ状態を切り替え可能であるとともに、電気機器への電力の供給と遮断を切り替える壁スイッチが遮断側に操作されることを防止する。【解決手段】リモートコントローラ１は、電力の供給と遮断を切り替える壁スイッチを、素手で直に遮断状態に切り替える操作を阻止し、素手で取り外せないように固定可能なカバー２と、壁スイッチで電力の供給と遮断が切り替えられ、無線でオン／オフ状態を切り替え可能な照明器具に、オン／オフ状態を切り替える信号を送信する送信部３２と、カバー２に設けられ、送信部３２へオン／オフ状態を切り替える信号の送信を指令する、素手で操作可能な押しボタンスイッチ４と、を備える。【選択図】図２
2015138624.tif 000002
【特許請求の範囲】
【請求項１】
電力の供給と遮断を切り替える壁スイッチを、素手で直に遮断状態に切り替える操作を阻止し、素手で取り外せないように固定可能なカバーと、
前記壁スイッチで電力の供給と遮断が切り替えられ、無線でオン／オフ状態を切り替え可能な電気機器に、前記オン／オフ状態を切り替える信号を送信する送信部と、
前記カバーに設けられ、前記送信部へ前記オン／オフ状態を切り替える信号の送信を指令する、素手で操作可能なスイッチと、
を備えることを特徴とするリモートコントローラ。
【請求項２】
前記カバーは、前記壁スイッチを遮断状態に切り替える、前記壁スイッチの操作面を覆うように固定可能であることを特徴とする請求項１に記載のリモートコントローラ。
【請求項３】
前記カバーは、前記壁スイッチの前面を覆うように固定可能な板状体で構成されることを特徴とする請求項２に記載のリモートコントローラ。
【請求項４】
前記カバーには、前記カバーを固定した状態で、前記壁スイッチを遮断状態に切り替える操作面に対向する位置に、指が挿入不能な第１の貫通孔が形成されたことを特徴とする請求項１ないし３のいずれか１項に記載のリモートコントローラ。
【請求項５】
前記カバーには、前記カバーを固定した状態で、前記壁スイッチを供給状態に切り替える操作面に対向する位置に、素手で前記壁スイッチを供給状態に切り替え可能な第２の貫通孔が形成されたことを特徴とする請求項１ないし４のいずれか１項に記載のリモートコントローラ。
【請求項６】
前記電気機器は複数の機能を有し、
前記スイッチは、前記複数の機能のうちの一部の機能について前記送信部にオン／オフ信号の送信を指令し、その他の機能についてオン／オフ信号の送信の指令をしないで該機能をオン状態に維持することを特徴とする請求項１ないし５のいずれか１項に記載のリモートコントローラ。
【請求項７】
前記電気機器は、光源を有する照明器具であり、
前記送信部は、前記光源のオン／オフ状態を切り替える信号を送信することを特徴とする請求項１ないし６のいずれか１項に記載のリモートコントローラ。
【請求項８】
請求項１ないし６のいずれか１項に記載のリモートコントローラと、
光源と、
前記送信部が送信する前記オン／オフ状態を切り替える信号を受信する受信部と、
前記受信部が受信した前記オン／オフ状態を切り替える信号に基づいて前記光源の点灯／消灯状態を切り替える制御部と、
を備えることを特徴とする照明器具。
【発明の詳細な説明】
【技術分野】
【０００１】
本発明は、電気機器のリモートコントローラおよび照明器具に関する。
【背景技術】
【０００２】
既存の建築物に、その建築物になかった機能（例えば、火災報知）を有する電気機器を組み込む場合、電力線を配線する配線工事が必要な場合がある。そこで、既存の電気機器（例えば、照明器具）にその機能を組み込んで、その電気機器へ電力を供給する電力線から電力を得ることが行われている。例えば、既存の照明器具を、火災報知器機能を有する照明器具に置き換えることにより、既存の電力線を利用して火災報知器を設置することが可能である。電気機器を置き換えることにより、電力線の配線工事は不要である。
【０００３】
一方、電気機器をリモートコントローラで操作することが行われている。
【０００４】
例えば、特許文献１には、既存の壁スイッチに着脱自在な照明器具用のスイッチアダプタを操作するリモートコントローラが記載されている。スイッチアダプタには、リモートコントローラからの制御信号を受信する受信アンテナ及び無線通信部と、壁スイッチに接触するように回動部材を駆動させる壁スイッチ操作部と、無線通信部により受信した制御信号に基づき、壁スイッチ操作部を制御する制御部と、が備えられている。リモートコントローラは、スイッチアダプタの回動部材を駆動させ、壁スイッチのオン／オフ状態を切り替えることにより、照明器具の遠隔操作を可能とする。
【０００５】
また、特許文献２には、壁スイッチが操作されないように、壁面に対して取り付け可能な、照明器具のリモートコントローラ用収納ホルダが記載されている。この収納ホルダは、ホルダ本体内に壁スイッチが配置され、ホルダ本体の前面にリモートコントローラが収納可能な保持部が配置されている。また、ホルダ本体の前面には、壁スイッチが操作可能な操作用孔が形成されている。リモートコントローラは、保持部から取り外し可能で、保持部からリモートコントローラが取り外された場合、使用者は操作用孔から壁スイッチをオン、オフし、照明器具を操作する。
【先行技術文献】
【特許文献】
【０００６】
【特許文献１】特開２００９−４３６６４号公報
【特許文献２】特開２０１１−２４３３６０号公報
【発明の概要】
【発明が解決しようとする課題】
【０００７】
電気機器への電力の供給、遮断が壁スイッチで切り替えられる場合、壁スイッチで電力を遮断すると、電気機器に組み込んだ機能への電力の供給が遮断される。壁スイッチで電力の遮断が可能である場合、電気機器に組み込んだ機能を常時動作させることは保証されない。
【０００８】
特許文献１のスイッチアダプタでは、壁スイッチそれ自体を押して壁スイッチを切り替える回動部材を有するので、壁スイッチを切り替えて電力を遮断する可能性がある。特許文献２のリモートコントローラ用収納ホルダでは、保持部からリモートコントローラが取り外された場合、操作用孔から壁スイッチが露出するので、使用者が不用意に壁スイッチを切り替えて、電力を遮断する可能性がある。
【０００９】
本発明は、上記事情に鑑みてなされたものであり、電気機器のオン／オフ状態を切り替え可能であるとともに、電気機器への電力の供給と遮断を切り替える壁スイッチが遮断側に操作されることを防止することを目的とする。
【課題を解決するための手段】
【００１０】
本発明の第１の観点に係るリモートコントローラは、
電力の供給と遮断を切り替える壁スイッチを、素手で直に遮断状態に切り替える操作を阻止し、素手で取り外せないように固定可能なカバーと、
前記壁スイッチで電力の供給と遮断が切り替えられ、無線でオン／オフ状態を切り替え可能な電気機器に、前記オン／オフ状態を切り替える信号を送信する送信部と、
前記カバーに設けられ、前記送信部へ前記オン／オフ状態を切り替える信号の送信を指令する、素手で操作可能なスイッチと、
を備えることを特徴とする。
【００１１】
本発明の第２の観点に係る照明器具は、
第１の観点に係るリモートコントローラと、
光源と、
前記送信部が送信する前記オン／オフ状態を切り替える信号を受信する受信部と、
前記受信部が受信した前記オン／オフ状態を切り替える信号に基づいて前記光源の点灯／消灯状態を切り替える制御部と、
を備えることを特徴とする。
【発明の効果】
【００１２】
本発明によれば、電気機器のオン／オフ状態を切り替え可能であるとともに、電気機器への電力の供給と遮断を切り替える壁スイッチが遮断側に操作されることが防止される。
【図面の簡単な説明】
【００１３】
【図１】本発明の実施の形態１に係るリモートコントローラ及びその操作対象の照明器具の構成を示すブロック図である。
【図２】実施の形態１に係るリモートコントローラを示す斜視図である。
【図３】実施の形態１に係るリモートコントローラを示す断面図である。
【図４】本発明の実施の形態２に係るリモートコントローラを示す斜視図である。
【図５】実施の形態２に係るリモートコントローラを示す断面図である。
【図６】本発明の実施の形態３に係るリモートコントローラを示す斜視図である。
【図７】実施の形態３に係るリモートコントローラを示す断面図である。
【図８】実施の形態３に係るリモートコントローラを示す正面図である。
【図９】本発明の実施の形態４に係るリモートコントローラを示す斜視図である。
【図１０】実施の形態４に係るリモートコントローラを示す正面図である。
【発明を実施するための形態】
【００１４】
以下、本発明を実施するための形態について図面を参照して詳細に説明する。なお図中、同一または同等の部分には同一の符号を付す。
【００１５】
（実施の形態１）
図１は、本発明の実施の形態１に係るリモートコントローラ及びその操作対象の照明器具の構成を示すブロック図である。リモートコントローラ１は、無線で照明器具８の点灯／消灯状態を切り替えることが可能である。照明器具８は、照明機能を有する照明器具に火災報知機能が追加されたものである。通常、照明器具は、電力の供給、遮断を切り替える壁スイッチによって、照明機能のオン／オフ状態（点灯／消灯状態）が切り替えられる。壁スイッチ９によって電力が遮断されると、照明器具８では、照明機能のみならず、火災報知機能もオフ状態となる。本実施の形態に係るリモートコントローラ１では、火災報知機能がオフ状態にされることを阻止するため、リモートコントローラ１それ自体が壁スイッチ９に覆い被さって固定される。照明器具８の照明機能のオン／オフ状態の切り替えは、壁スイッチ９ではなく、リモートコントローラ１で行われる。
【００１６】
照明器具８には、リモートコントローラ１とは別の持ち運び可能なリモートコントローラ１０が付属する場合がある。この場合、照明器具８は、リモートコントローラ１のほかに、リモートコントローラ１０によっても、照明機能のオン／オフ状態の切り替えが可能である。リモートコントローラ１０は、照明器具８のオン／オフ状態を切り替える切り替え信号を照明器具８に送信する。リモートコントローラ１は、リモートコントローラ１０と同じ切り替え信号を照明器具８に送信可能である。
【００１７】
リモートコントローラ１０は、切り替え信号のほかに、照明の明るさまたは発光色を変更する調光信号を送信できる場合がある。この場合、照明器具８は、リモートコントローラ１０の調光信号に基づいて照明の明るさまたは発光色を変更する。
【００１８】
照明器具８は、光源８１と、電源部８２と、受信部８３と、制御部８４と、火災報知部８７とで構成されている。照明器具８は、壁スイッチ９に接続されている。
【００１９】
光源８１は、昼白色、電球色等の光を発する部材である。例えば、光源８１は、白色ＬＥＤ（Light Emitting Diode）や赤色、青色、緑色のＬＥＤの組合せたもので構成される。光源８１は、電源部８２により電力が供給される。
【００２０】
電源部８２は、所望の電力を光源８１に供給する。電源部８２は、壁スイッチ９を介して商用電源に接続される。電源部８２は、制御部８４の指令により、光源８１への電力の供給、遮断を切り替える。
【００２１】
壁スイッチ９は、照明器具８と商用電源との間の電力線に設けられ、照明器具８への電力の供給、遮断を切り替える。壁スイッチ９は、建築物の壁に設置される。
【００２２】
受信部８３は、リモートコントローラ１の無線方式の信号を受信する。また、照明器具８にリモートコントローラ１０が付属する場合、受信部８３は、リモートコントローラ１０の無線方式の信号を受信する。受信部８３が受信可能な信号は、光源８１の点灯／消灯の切り替えを指令する切り替え信号、光源８１の明るさまたは発光色を変更する調光信号である。受信部８３は、信号を受信すると制御部８４に対してその信号を出力する。
【００２３】
制御部８４は、受信部８３から切り替え信号が入力した場合に、電源部８２に対して、光源８１への電力の供給、遮断を指令する。より詳細には、制御部８４は、電源部８２に対して電力の供給を指令した後に受信部８３からの切り替え信号が入力した場合、電源部８２に対して、光源８１への電力を遮断する指令を出力する。逆に、制御部８４は、電源部８２に電力の遮断を指令した後に受信部８３からの切り替え信号が入力した場合、電源部８２に対して、光源８１への電力を供給する指令を出力する。これにより、制御部８４は、切り替え信号に応じて光源８１のオン／オフ状態を切り替える。
【００２４】
制御部８４は、リモートコントローラ１０が送信した調光信号を受信部８３が受信した場合、電源部８２に対して電力の変更を指令する。例えば、制御部８４は、電源部８２に対して特定のＬＥＤへの電圧の印加を指令し、照明の色を昼光色に変更する。
【００２５】
火災報知部８７は、温度センサとスピーカとを含んで構成され、建築物の室内の温度を監視する。火災報知部８７は、温度センサが検出した温度が所定値以上である場合に、火災と判定してスピーカから警告音を発する。火災報知部８７は、壁スイッチ９を介して商用電源から電力の供給を受ける。火災報知部８７は、受信部８３及び制御部８４に接続されておらず、リモートコントローラ１及び１０による遠隔操作を受けない。リモートコントローラ１は、照明器具８の照明機能のみを遠隔操作する。以下、リモートコントローラ１の構成について説明する。
【００２６】
図２は、実施の形態１に係るリモートコントローラを示す斜視図である。図３は、実施の形態１に係るリモートコントローラを示す断面図である。図２および図３に示すように、リモートコントローラ１は、カバー２と、押しボタンスイッチ４とで構成されている。
【００２７】
カバー２は、支持部２１および脚部２２と、本体部３と、で構成されている。カバー２では、支持部２１及び脚部２２が略長方形状の板状体が断面コの字状に折り曲げられて形成され、壁スイッチ９の操作面を覆っている。本体部３は、支持部２１に設けられている。
【００２８】
支持部２１は、平面略長方形に形成され、短辺側の両端が脚部２２によって支えられている。支持部２１の前面側には、本体部３が設けられ、支持部２１の背面側には、壁スイッチ９および壁スイッチ９に設けられたスイッチカバー９１が位置している。支持部２１は、スイッチカバー９１および壁スイッチ９の操作面と対向し、これらの前面を覆っている。支持部２１は、壁スイッチ９に設けられたスイッチカバー９１よりも長辺、短辺とも大きい形状に形成されている。例えば、スイッチカバー９１が長辺１２０ｍｍ、短辺７０ｍｍ、高さ７ｍｍの略直方体状に形成されている場合に、支持部２１の長辺、短辺はスイッチカバー９１と同じ形状、またはスイッチカバー９１の長辺、短辺よりもそれぞれ０〜１０ｍｍ大きい形状に形成される。これにより、壁スイッチ９の前方側からの、素手による壁スイッチ９の切り替え操作が阻止される。また、支持部２１は、壁スイッチ９の操作面と一定の距離で隔てられた位置に配置されている。この一定の距離は、支持部２１の背面と壁スイッチ９の操作面との間に手や指を差し込むことができないような距離である。例えば、支持部２１背面から壁スイッチ９の操作面までの距離は２〜８ｍｍである。これにより、壁スイッチ９の側面方向からの、素手による壁スイッチ９の切り替え作業が阻止される。
【００２９】
脚部２２は、支持部２１の短辺端部が略９０°折れ曲げられて形成された部分である。脚部２２は、支持部２１の短辺の両端それぞれに形成されている。脚部２２の幅は、支持部２１の短辺とほぼ同じ大きさである。脚部２２は、平面略長方形状のスイッチカバー９１の短辺それぞれと平行に配置され、スイッチカバー９１の短辺の側面方向を覆っている。脚部２２は、支持部２１の長辺側には形成されておらず、スイッチカバー９１の長辺の側面方向を覆っていない。脚部２２は、スイッチカバー９１の長辺の側面方向から手や指が差し込み不能な長さに形成されている。具体的には、脚部２２は、壁９５から壁スイッチ９の操作面までの長さよりもやや長く形成されている。例えば、壁９５から壁スイッチ９の操作面まで１２ｍｍである場合、脚部２２は２〜８ｍｍの長さに形成される。これにより、支持部２１の長辺方向からの、素手による壁スイッチ９の切り替え操作が阻止される。
【００３０】
脚部２２は、支持部２１と反対側の端部で壁９５に固定されている。脚部２２の端部は、支持部２１中央側に略９０°折れ曲がり、壁９５表面に接している。脚部２２の端部は、ネジ２６で固定され、素手で取り外せないように固定されている。ネジ２６は、支持部２１に形成された貫通孔２３からドライバーを差し込んで締め付けられる。
【００３１】
本体部３は、直方体状に形成されている。本体部３の内部には、電池室３１と、送信部３２と、が設けられている。本体部３の前面には、押しボタンスイッチ４が配置されている。
【００３２】
電池室３１は、電池が収容可能な円筒状かつ凹状に形成されている。その前面には蓋（図示せず）が設けられ、この蓋の開閉により電池交換可能である。電池室３１に収納された電池は、送信部３２に電力を供給する。
【００３３】
送信部３２は、押しボタンスイッチ４からの指令に基づいて切り替え信号を送信する。送信部３２は、切り替え信号を電波方式の無線信号として送信する。この切り替え信号により、上述したように、照明器具８の制御部８４が光源８１への電力の供給／遮断状態を切り替えて、照明器具８の点灯／消灯を切り替える。
【００３４】
押しボタンスイッチ４は、断面凸状かつ平面円形状に形成された操作面を有している。押しボタンスイッチ４の操作面は、リモートコントローラ１を正面からみた場合に、カバー２の中央近傍に配置され、壁スイッチ９の真上に位置している。押しボタンスイッチ４の操作面の直径は、平面略長方形状の壁スイッチ９の長辺よりも大きく、素手で操作可能な大きさである。例えば、壁スイッチ９の操作面が長辺２０ｍｍ、短辺１５ｍｍの平面略長方形状に形成されている場合、押しボタンスイッチ４は約１２ｍｍの直径の平面円形状に形成される。このような大きさであれば、壁スイッチ９の操作面を指で押すことが可能である。
【００３５】
押しボタンスイッチ４は、通常の状態では接点が開状態であり、凸形状の先端部が押されている間だけ、接点が閉状態になるモーメンタリ型のスイッチである。押しボタンスイッチ４は、接点が開状態から閉状態にされた場合に、送信部３２に対して切り替え信号の送信を指令する。押しボタンスイッチ４は、接点が閉状態から開状態に戻された場合、送信部３２に対して切り替え信号の送信を指令しない。上述したように、照明器具８の受信部８３が切り替え信号を受信すると、制御部８４は、照明器具８の光源８１のオン／オフ状態に応じて、照明器具８の照明機能をオフ状態からオン状態へ、またはオン状態からオフ状態へ切り替える。
【００３６】
リモートコントローラ１は、以下のように設置され、照明器具８の操作に使用される。
【００３７】
リモートコントローラ１の設置は、壁スイッチ９が電力を供給する状態に切り替えた状態で行われる。この状態の壁スイッチ９を覆うように、リモートコントローラ１の支持部２１を配置する。そして、脚部２２の端部を壁９５にネジ２６で固定する。リモートコントローラ１の電池室３１には電池が入れられる。
【００３８】
リモートコントローラ１は、壁スイッチ９が電力を供給する状態に切り替えられた状態のまま使用される。照明器具８の火災報知部８７は、照明器具８が設置された場所（室内等）で火災の発生があるかどうかを常時監視する。火災報知部８７の機能は常時オン状態にする必要がある。そこで、壁スイッチ９が電力を供給する状態のままにして、火災報知部８７を常時オン状態にし、照明器具８の光源８１のオン／オフ状態をリモートコントローラ１で切り替える。上述したように、リモートコントローラ１の押しボタンスイッチ４を押すことにより、照明器具８の光源８１の点灯、消灯が遠隔操作される。
【００３９】
照明器具８にリモートコントローラ１０が付属する場合、リモートコントローラ１は、リモートコントローラ１０と併用される。上述したように、リモートコントローラ１０は、切り替え信号のほかに、調光信号を送信できる場合がある。リモートコントローラ１０が調光信号を送信可能である場合、リモートコントローラ１０は、照明の明るさまたは発光色を変更する場合に使用される。リモートコントローラ１０は、持ち運び可能であるので、例えば、室内で光源８１の点灯、消灯を切り替える場合に使用される。リモートコントローラ１は、壁スイッチ９の代わりに、壁９５に固定された照明器具８のスイッチとして使用される。
【００４０】
保守点検等のため、照明器具８に電力を供給する状態から電力を遮断する状態へ切り替えるには、壁スイッチ９を切り替えることにより行う。脚部２２の端部のネジ２６を緩めて、リモートコントローラ１を壁９５から取り外し、壁スイッチ９が電力を遮断する状態に切り替える。
【００４１】
以上のように、本実施の形態に係るリモートコントローラ１では、カバー２の支持部２１がスイッチカバー９１および壁スイッチ９の前面を覆っている。カバー２の脚部２２は、平面略長方形状のスイッチカバー９１の短辺側の側面を覆っている。脚部２２は、スイッチカバー９１の長辺側の側面を覆っていないが、脚部２２は、スイッチカバー９１の長辺の側面方向から手や指が差し込み不能な長さに形成されている。従って、リモートコントローラ１の使用者は、壁スイッチ９の前面や側面から素手で直に壁スイッチ９に触れて壁スイッチ９を切り替えることができない。また、カバー２は、脚部２２がネジ２６によって固定されているので、素手でカバー２を取り外すことが困難である。このため、壁スイッチ９が電力を供給する状態に切り替えられた状態でリモートコントローラ１を設置すると、その後、壁スイッチ９によって電力が遮断されることがない。リモートコントローラ１では、不用意に使用者が壁スイッチ９を切り替えて電力を遮断することが防止される。
【００４２】
リモートコントローラ１は、カバー２の前面に、押しボタンスイッチ４が設けられている。押しボタンスイッチ４の先端部が押されることにより、リモートコントローラ１の送信部３２が切り替え信号を無線で送信し、照明器具８の受信部８３が切り替え信号を受信して制御部８４が照明器具８のオン／オフ状態を切り替える。このため、壁スイッチ９を切り替えできなくとも、照明器具８のオン／オフ状態を切り替えることが可能である。
【００４３】
押しボタンスイッチ４が押され、リモートコントローラ１により照明器具８がオフ状態にされても、壁スイッチ９は、電力を供給する状態を維持している。照明器具８が有する
火災報知部８７は、照明器具８がオフ状態であっても、常時機能することが可能である。リモートコントローラ１では、火災報知部８７を常時作動することが保証される。
【００４４】
リモートコントローラ１の押しボタンスイッチ４は、壁スイッチ９と対向する位置に配置され、壁スイッチ９とほとんど位置が変わらない。使用者は壁スイッチ９を使用していたときと同様の感覚で使用可能である。
【００４５】
既存の照明器具を、火災報知部８７を有する照明器具８に交換し、リモートコントローラ１を設置するだけで、電力線の配線工事をすることなく、火災報知機能を導入することが可能である。リモートコントローラ１のカバー２は、壁スイッチ９を覆うように配置され、壁９５にネジ２６で固定されているだけである。リモートコントローラ１は、既存の電力線をそのままに簡易な工事で設置することが可能である。
【００４６】
リモートコントローラ１は、リモートコントローラ１０と同じ切り替え信号を送信可能である。リモートコントローラ１で、リモートコントローラ１０と同じ部品を採用することにより、切り替え信号を送信するように設計することが可能である。この場合、リモートコントローラ１０との部品の共用化が可能である。
【００４７】
リモートコントローラ１は、壁９５に固定されている。リモートコントローラ１０のように、持ち運ばれて、見あたらなくなったり紛失したりする畏れがない。
【００４８】
（実施の形態２）
実施の形態２に係るリモートコントローラ１は、照明器具８をオンにするオン信号、照明器具８をオフにするオフ信号、の送信を独立して指令する２つの押しボタンスイッチを備える。以下、実施の形態１と異なる構成について説明する。
【００４９】
図４は、本発明の実施の形態２に係るリモートコントローラを示す斜視図である。図５は、実施の形態２に係るリモートコントローラを示す断面図である。図４および図５に示すように、実施の形態２に係るリモートコントローラ１は、カバー２の前面に押しボタンスイッチ４Ａ、４Ｂが設けられている。
【００５０】
押しボタンスイッチ４Ａ、４Ｂは、それぞれ直方体状に形成された操作面を有している。押しボタンスイッチ４Ａ、４Ｂの操作面は、カバー２の中央付近に並んで配置されている。押しボタンスイッチ４Ａ、４Ｂの操作面は、リモートコントローラ１を正面からみた場合に、壁スイッチ９の操作面の右領域、左領域にそれぞれ位置している。押しボタンスイッチ４Ａ、４Ｂの平面大きさは、両者を合わせて壁スイッチ９のそれとほぼ同じであり、素手で操作可能な大きさである。
【００５１】
押しボタンスイッチ４Ａ、４Ｂは、実施の形態１の押しボタンスイッチ４と同様に、操作面が押されている間、接点が閉状態になるモーメンタリ型のスイッチである。押しボタンスイッチ４Ａは、操作面が押されて接点が閉状態にされると、本体部３の送信部３２にオン信号の送信を指令する。押しボタンスイッチ４Ｂは、操作面が押されて接点が閉状態にされると、送信部３２にオフ信号の送信を指令する。
【００５２】
送信部３２は、押しボタンスイッチ４Ａ、４Ｂの指令により、照明器具８の受信部８３にオン信号またはオフ信号を送信する。制御部８４は、受信部８３からオン信号またはオフ信号が入力した場合、電源部８２に対して光源８１への電力の供給または遮断を指令する。これにより、照明器具８は、リモートコントローラ１のオン信号またはオフ信号に基づいて光源８１をオン状態またはオフ状態にする。
【００５３】
以上のように、リモートコントローラ１は、カバー２の前面に、操作面が押された場合にオン信号、オフ信号の送信を独立して指令する押しボタンスイッチ４Ａ、４Ｂを備えている。壁スイッチ９では、電力を供給状態にする操作面および電力を遮断状態にする操作面のいずれかが押されて、照明器具をオン状態またはオフ状態にしていた。押しボタンスイッチ４Ａ、４Ｂは、これと同様に、各操作面が押されることにより、照明器具８をオン状態、オフ状態にする。リモートコントローラ１では、壁スイッチ９と同様の感覚で使用可能である。使用者は違和感を覚えることなく、リモートコントローラ１を使用できる。
【００５４】
（実施の形態３）
実施の形態３に係るリモートコントローラ１は、カバー２に、指が挿入不能な貫通孔が形成されている。以下、実施の形態１および２と異なる構成について説明する。
【００５５】
図６は、本発明の実施の形態３に係るリモートコントローラを示す斜視図である。図７は、実施の形態３に係るリモートコントローラを示す断面図である。図６および図７に示すように、実施の形態３に係るリモートコントローラ１は、カバー２を貫通する貫通孔２４が形成されている。
【００５６】
貫通孔２４は、円形状の開口を有するように形成され、本体部３と支持部２１とを貫通している。貫通孔２４の直径は人間の指の太さよりも小さい。貫通孔２４は指が挿入不能であるとともにドライバー等の棒状体が挿入可能である。例えば、貫通孔２４の開口は、直径３〜８ｍｍである。この場合、指が挿入不能であるとともに、ＪＩＳ規格の０〜３番のドライバーの刃および軸が挿入可能である。
【００５７】
貫通孔２４は２つ形成されている。２つの貫通孔２４は、押しボタンスイッチ４を挟むように押しボタンスイッチ４の脇に配置されている。貫通孔２４それぞれは、リモートコントローラ１が壁９５に固定された状態で、壁スイッチ９の操作面と対向している。
【００５８】
図８は、実施の形態３に係るリモートコントローラを示す正面図である。図８に示すように、貫通孔２４は、リモートコントローラ１が壁９５に固定された状態で、壁スイッチ９の操作面の左端部側の領域と、右端部側の領域とにそれぞれ対向する位置に形成されている。
【００５９】
壁スイッチ９の操作面の左端部側は、電力を遮断する状態に切り替えるときに押される領域であり、操作面の右端部側は、電力を供給する状態に切り替えるときに押される領域である。壁スイッチ９は、操作面の左端部側または右端部側の一方が押されることにより、照明器具８への電力の供給と遮断とを切り替える。操作面の左端部側が押された状態（すなわち、スイッチカバー９１表面に対して操作面の左端部側が右端部側よりも低い位置にある状態）で、照明器具８への電力が遮断され、操作面の右端部側が押された状態（すなわち、スイッチカバー９１表面に対して右端部側が左端部側よりも低い位置にある状態）で、照明器具８へ電力が供給される。
【００６０】
貫通孔２４は、壁スイッチ９の操作面の左端部側の領域と右端部側の領域とにそれぞれ対向しているので、貫通孔２４にその直径よりも小さい棒状体を挿入し、その棒状体で壁スイッチ９を押すことにより、壁スイッチ９の左端部側または右端部側を押し込んで、壁スイッチ９が電力を遮断または供給する状態に切り替えることが可能である。
【００６１】
以上のように、実施の形態３に係るリモートコントローラ１には、指が挿入不能な貫通孔２４が形成されている。貫通孔２４を通して、素手で直に壁スイッチ９を切り替えることができない。一度、壁スイッチ９が電力を供給する状態にしてリモートコントローラ１を設置すると、その後、リモートコントローラ１を取り外さない限り、素手で照明器具８の電力を遮断することはできない。
【００６２】
貫通孔２４それぞれは、壁スイッチ９の操作面の左端部側の領域と、右端部側の領域とに対向する位置に形成されている。貫通孔２４より細い棒状体（例えば、ドライバーやボールペン）を貫通孔２４に挿入して壁スイッチ９の操作面を押すことにより、壁スイッチ９が電力を遮断または供給する状態に切り替えることが可能である。例えば、緊急時に、ドライバーを貫通孔２４に挿入して、照明器具８の電力を遮断することが可能である。
【００６３】
（実施の形態４）
実施の形態４に係るリモートコントローラ１は、壁スイッチ９が電力を供給する状態であることを確認可能、かつ壁スイッチ９が電力を供給する状態に素手で切り替え可能な貫通孔が形成されている。以下、実施の形態１〜３と異なる構成について説明する。
【００６４】
図９は、本発明の実施の形態４に係るリモートコントローラを示す斜視図である。図９に示すように、カバー２には、カバー２中央近傍に、カバー２を貫通する平面略正方形状の貫通孔２８が形成されている。貫通孔２８の大きさは、正方形の一辺が壁スイッチ９を正面からみたときの壁スイッチ９の短辺とほぼ同じであり、人間の指が挿入可能な大きさである。貫通孔２８は、リモートコントローラ１の正面から見た場合に、壁スイッチ９の操作面の右端部側の領域と対向する位置に形成されている。例えば、壁スイッチ９の操作面が長辺２０ｍｍ、短辺１５ｍｍの平面略長方形状に形成されている場合に、正方形状の貫通孔２８の一辺は、約１５ｍｍであり、貫通孔２８の左辺が壁スイッチ９の操作面の中心に位置する。
【００６５】
図１０は、実施の形態４に係るリモートコントローラを示す正面図である。図１０に示すように、貫通孔２８は、壁スイッチ９の操作面のほぼ右側半分を露出させている。壁スイッチ９は、上述したように、操作面の右端部側が押し込まれた状態が、照明器具８へ電力が供給される状態である。貫通孔２８は、壁スイッチ９の操作面の右端部側を露出させているので、壁スイッチ９の右端部側が押し込まれ、照明器具８へ電力が供給されているかを確認することが可能である。壁スイッチ９の操作面の左端部側が押し込まれ、右端部側が押し込まれていない場合、貫通孔２８には、指を挿入可能であるので、指で直に壁スイッチ９の操作面の右端部を押して、壁スイッチ９が電力を供給する状態に切り替えることが可能である。
【００６６】
リモートコントローラ１には、貫通孔２８と並ぶように、貫通孔２４が形成されている。貫通孔２４は、壁スイッチ９の操作面の左端部側の領域に対向する位置に形成されている。貫通孔２４の大きさは、実施の形態３と同様である。
【００６７】
押しボタンスイッチ４は、貫通孔２８の脇に配置されている。貫通孔２８から壁スイッチ９の状態を確認しながら、押しボタンスイッチ４を押すことが可能である。
【００６８】
以上のように、実施の形態４に係るリモートコントローラ１には、壁スイッチ９の操作面の右端部側の領域に対向する貫通孔２８が形成されている。貫通孔２８は、指が挿入可能な大きさであるので、壁スイッチ９の操作面の右端部側を指で押して、電力を供給する状態に切り替え可能である。壁スイッチ９の操作面の左端部側の領域は、リモートコントローラ１のカバー２に覆われ、壁スイッチ９の操作面の左端部側を素手で押すことはできない。リモートコントローラ１は、素手で直に壁スイッチ９が電力を供給する状態に切り替えることは可能であるが、壁スイッチ９が電力を遮断する状態に切り替えることはできない。したがって、リモートコントローラ１は、壁スイッチ９によって電力が遮断されることを防止するとともに、電力を遮断する状態から電力を供給する状態へ、壁スイッチ９を素手で直に切り替えることが可能である。リモートコントローラ１では、例えば、照明器具８を建築物に最初に設置する場合や照明器具８の保守点検をする場合などに、壁スイッチ９を素手で直に切り替えることが可能である。
【００６９】
リモートコントローラ１には、実施の形態３と同様に、貫通孔２４が形成されている。例えば、緊急時に、ドライバーを貫通孔２４に挿入して壁スイッチ９を押し、電力を遮断する状態に切り替えることが可能である。リモートコントローラ１には、上記の貫通孔２８が形成されているので、電力を遮断する状態に壁スイッチ９が切り替えられたとしても、電力を供給する状態に壁スイッチ９を切り替えることが可能である。
【００７０】
上記の実施の形態に係るリモートコントローラ１は、様々な変形が可能である。例えば、上記の実施の形態では、照明器具８が照明機能のほかに、火災報知機能を有していたが、操作対象の照明器具８は、これに限られない。火災報知機能は、他の機能と置き換えられてもよい。また火災報知機能に加えて他の機能が追加されてもよい。すなわち、照明器具８では、本来の機能である照明機能のほか、様々な機能を果たすシステムが組み込まれてもよい。このような照明器具８でも、リモートコントローラ１で照明機能を遠隔操作可能である。
【００７１】
照明器具８は音声機能を有していてもよい。例えば、照明器具８がスピーカ、マイクロフォンおよび無線方式で音声信号を送受信する送受信部を備えていてもよい。この場合に、リモートコントローラ１はスピーカ、マイクロフォンおよび無線方式で音声信号を送信する送受信部を備えてもよい。これにより、リモートコントローラ１と照明器具８との間で通話が可能である。
【００７２】
照明器具８は室内監視機能を有していてもよい。例えば、照明器具８が動きを検出するセンサと、無線方式でセンサの動き情報を送信する送信部を備えていてもよい。この場合に、リモートコントローラ１は、上記の送信部からの動き情報を受信する受信部と、受信された動き情報から室内を監視する監視部とを備えてもよい。これにより室内の監視が可能である。上記の動き情報により、例えば、侵入者を検知して監視する防犯システムや、高齢者、子供等の在宅を確認する在宅確認システムとして利用することが可能である。
【００７３】
上記の実施の形態では、リモートコントローラ１が送信部３２を備え、照明器具８が受信部８３を備えていた。しかし、例えば、リモートコントローラ１が送信部３２に加えて受信部を備え、照明器具８が受信部８３に加えて送信部を備えていてもよい。リモートコントローラ１は、照明器具８の操作信号を送信する送信部３２を少なくとも備えていればよく、照明器具８は送信部３２の信号を受信する受信部８３を少なくとも備えていればよい。
【００７４】
リモートコントローラ１は、通信回線と接続可能であってもよい。リモートコントローラ１が通信回線を介して操作され、それにより、照明器具８を遠隔操作することが可能である。通信回線は無線による回線であるとよい。例えば、携帯電話機（スマートフォン等）とリモートコントローラ１とが接続されると、携帯電話機からの照明器具８の操作が可能である。携帯電話機で外出先から照明器具８の操作が可能である。この場合に、照明器具８が照明器具８の点灯／消灯情報を送信する送信部を備え、リモートコントローラ１が点灯／消灯情報を受信する受信部を備えてもよい。リモートコントローラ１を介して携帯電話機で照明器具８の点灯、消灯を確認することにより、在宅の確認が可能である。
【００７５】
リモートコントローラ１の操作対象は、照明器具８に限られない。本発明に係るリモートコントローラ１は、壁スイッチ９で電力の供給と遮断が切り替えられ、無線方式でオン／オフ状態を切り替え可能な電気機器であって、その電気機器本来の機能以外の、常時作動させる機能を有する電気機器を操作対象とすることが可能である。例えば、リモートコントローラ１は、火災報知機能と送風機能とを有し、リモートコントローラ１の無線方式の信号に基づいて送風機能のオン／オフ状態を切り替えることが可能な換気扇を操作対象とすることが可能である。この換気扇を、天井に設置された扇風機または空気循環器（サーキュレータ）に置き換えたものに、リモートコントローラ１が適用されてもよい。このような電気機器においても、壁スイッチ９で電力が遮断されて、常時作動させる機能が停止することを防ぐことが可能である。
【００７６】
壁スイッチ９は、建築物の壁に設置されたスイッチに限られない。本発明における壁スイッチ９は、建築物の天井等を支持する面（例えば、柱）や壁の延長面（例えば、傾斜した天井）に配置されるスイッチをも含むものである。壁スイッチ９は、電力を供給し、建築物に固定された電力線に設けられたスイッチ全般を意味する。
【００７７】
上記の実施の形態では、本体部３に押しボタンスイッチ４が配置されていたが、本発明では、押しボタンスイッチ４に限定されない。押しボタンスイッチ４は、素手で操作可能なスイッチに置き換えられてもよい。例えば、押しボタンスイッチ４の替わりに、モーメンタリ型のスイッチであるタクタイルスイッチが配置されてもよい。
【００７８】
スイッチには、上記の実施の形態で説明したモーメンタリ型のスイッチのほか、オルタネイト型のスイッチがある。本発明において、押しボタンスイッチ４に替えて、オルタネイト型のスイッチ（例えば、トグルスイッチ、スライドスイッチ、プッシュロックスイッチ）が適用されてもよい。オルタネイト型のスイッチの場合には、リモートコントローラ１は、スイッチの接点の開閉状態に応じて点灯／消灯信号を送信するとともに照明器具８の点灯／消灯状態を受信する送受信部と、スイッチの接点の開閉状態と照明器具８の点灯／消灯状態とを照合して点灯／消灯信号を再送信させる制御部８４とを備えてもよい。照明器具８は、点灯／消灯信号を受信するとともに照明器具８の点灯／消灯状態を送信する送受信部と、点灯／消灯信号に応じて点灯／消灯の指令をする制御部とを備えてもよい。また、リモートコントローラ１は、オルタネイト型のスイッチの接点が開状態、閉状態に切り替えられたときに、切り替え信号を送信する送信部３２であってもよい。
【００７９】
上記の実施の形態では、リモートコントローラ１を正面からみた場合に、押しボタンスイッチ４の操作面が壁スイッチ９の真上に位置していたが、押しボタンスイッチ４の位置はこれに限定されない。本発明では、押しボタンスイッチ４はカバー２に設けられていればよく、押しボタンスイッチ４の位置は任意である。例えば、リモートコントローラ１を正面からみた場合に、押しボタンスイッチ４が壁スイッチ９と対向しない位置に配置されてもよい。すなわち、リモートコントローラ１を正面からみた場合に、押しボタンスイッチ４が壁スイッチ９と並ぶように配置されてもよい。このような位置であれば、押しボタンスイッチ４の操作面が強く押されてカバー２が変形した場合（例えば撓んだ場合）、誤って壁スイッチ９が切り替えられることを防止することが可能である。
【００８０】
上記の実施の形態では、リモートコントローラ１の前面に、押しボタンスイッチ４が配置されていたが、リモートコントローラ１の前面には、操作対象の電気機器の機能のオン／オフ状態を切り替えるためのスイッチが少なくとも配置されていればよい。他の構成要素がリモートコントローラ１の前面に配置されてもよい。
【００８１】
例えば、液晶ディスプレイ等で構成される表示部が設けられてもよい。表示部には、電池室３１に収容された電池の残量が表示されてもよい。例えば、電池の電圧が所定値より小さいときに、電池交換時期を知らせる表示を表示してもよい。また、ＬＥＤ等で構成される発光部が設けられてもよい。押しボタンスイッチ４が押されたときに発光部が点灯して、押しボタンスイッチ４が押されたことを示してもよいし、発光部が常時点灯して押しボタンスイッチ４の操作面の位置を示してもよい。
【００８２】
また、上記の実施の形態では、リモートコントローラ１に電池室３１が１つ設けられていたが、電池室３１は複数設けられてもよい。例えば、電池室３１が２つ形成され、２つの電池が収容可能であってもよい。この場合に、電池室３１それぞれは、互いに独立して電力を供給することが可能であり、電池室３１の一方が電力の供給をしている場合に、他方の電池室３１が送信部３２等から切り離されて、その電池室３１の電池がバックアップ用電源として機能してもよい。リモートコントローラ１に表示部を設け、バックアップ用の電池が使用された場合に、電池交換を促す表示を表示してもよい。リモートコントローラ１が使用できず、照明器具８の点灯、消灯ができない状態を回避することが可能である。
【００８３】
リモートコントローラ１の固定はネジ２６による固定に限られない。リモートコントローラ１の固定は、素手で取り外せない固定であればよい。例えば、リモートコントローラ１は、工具によって固定される固定具（ボルト等）で固定されてもよい。また、壁スイッチ９が電力を供給、遮断する状態に切り替え可能な貫通孔２４がリモートコントローラ１に形成されている場合、接着剤でリモートコントローラ１を壁９５に固定してもよい。
【００８４】
上記の実施の形態では、貫通孔２４が平面円形状の開口を有していたが、貫通孔２４の形状はこれに限られない。例えば、貫通孔２４がスリット状に形成されてもよい。貫通孔２４は、素手で直に壁スイッチ９を触れることができない形状であればよい。例えば、貫通孔２４は、指が挿入不能な形状であればよい。具体的には、貫通孔２４は、幅３〜８ｍｍ、長さ約１５ｍｍのスリット状に形成されるとよい。この場合に、スリットの長さは、壁スイッチ９の操作面の左端部側の領域（遮断状態に切り替える領域）の大きさにあわせるとよい。
【００８５】
上記の実施の形態では、リモートコントローラ１が、電波方式によってオン／オフ信号を照明器具８へ送信するが、無線の方式は電波方式に限られない。例えば、赤外線、超音波等の無線方式であってもよい。
【００８６】
上記の実施の形態では、スイッチカバー９１に壁スイッチ９が一つ配置されている形態を説明したが、壁スイッチ９の数は限定されない。例えば、一つのスイッチカバー９１に壁スイッチ９が複数配置され、リモートコントローラ１に壁スイッチ９と同数の押しボタンスイッチ４が配置されていてもよい。リモートコントローラ１が複数の照明器具８を操作可能であってもよい。
【００８７】
また、上記の実施の形態では、リモートコントローラ１がリモートコントローラ１０と併用される場合を説明したが、本発明では、リモートコントローラ１０と併用可能であるかは問わない。照明器具８は、少なくともリモートコントローラ１によって遠隔操作可能であればよい。照明器具８がリモートコントローラ１によって遠隔操作可能である限り、複数のリモートコントローラ１０が併用されても、他のリモートコントローラが併用されてもよい。
【００８８】
また、上記の実施の形態では、カバー２に本体部３と押しボタンスイッチ４とが形成されていたが、カバー２と本体部３および押しボタンスイッチ４とが一体の構造物であるか、別々の構成物であるかは問わない。例えば、本体部３が送信部３２を構成する送信機のみから構成され、送信機の外形を画定する部分（例えば、ケーシング）がカバー２を構成してもよい。この場合、送信機が壁スイッチ９の操作面と対向し、この操作面の前面を覆ってもよい。また、押しボタンスイッチ４の外形を画定する部分がカバー２を構成してもよい。この場合、押しボタンスイッチ４が壁スイッチ９の操作面と対向して操作面の前面を覆ってもよい。
【００８９】
本発明では、カバー２の支持部２１と脚部２２とが一体の構造物であるか、別々の構造物であるかも問わない。本発明では、壁スイッチ９を、素手で直に遮断状態に切り替える操作を阻止し、素手で取り外せないように固定可能であればよい。従って、支持部２１と脚部２２とは、一体となってカバー２を構成してもよい。例えば、カバー２が、壁スイッチ９の操作面の前面および側面を覆い、素手で取り外せないように固定可能に形成されてもよい。例えば、カバー２が曲面状の板状体で構成され、その端部がボルトで固定可能に形成されてもよい。また、カバー２が中空かつ半球状に形成され、その端部がネジで固定可能に形成されてもよい。
【００９０】
上記の実施の形態のように、カバー２が支持部２１と脚部２２とで構成される場合、支持部２１は、壁スイッチ９の操作面の前面を少なくとも覆っていればよい。壁スイッチ９は、一般的に操作面の前面側から押されることによりスイッチが切り替わるように構成されている。使用者は壁スイッチ９の前面側から壁スイッチ９を操作する。壁スイッチ９の前面側を支持部２１で覆うことにより、不用意に壁スイッチ９が切り替えられて電力が遮断されることを防止可能である。
【００９１】
また、カバー２が支持部２１と脚部２２とで構成される場合、支持部２１が壁スイッチ９の操作面の前面を覆い、脚部２２が壁スイッチ９の操作面の側面を覆うように形成されてもよい。支持部２１、かつ脚部２２が壁スイッチ９の前面、側面それぞれを覆う場合、支持部２１、脚部２２それぞれが素手で取り外せないように固定可能であればよい。
【００９２】
支持部２１が壁スイッチ９の操作面の前面を覆う場合、支持部２１が壁スイッチ９を遮断状態に切り替える操作面を少なくとも覆うように形成されるとよい。具体的には、支持部２１は、壁スイッチ９の操作面の左端部側の領域、すなわち操作面のうち電力を遮断する状態に切り替えるときに押される領域、を少なくとも覆うように形成されるとよい。例えば、壁スイッチ９の操作面が長辺２０ｍｍ、短辺１５ｍｍの平面略長方形状に形成されている場合、支持部２１が長辺２０ｍｍ、短辺８ｍｍの略長方形状に形成されてもよい。この場合に、支持部２１は、壁スイッチ９の左端部側の領域を覆うように固定されるとよい。また、支部部２１は、壁スイッチ９の操作面全体を覆うような大きさに形成されてもよい。例えば、支持部２１は、壁スイッチ９の操作面と同じ形状、大きさの面を有するように形成されてもよい。この場合に、脚部２２は、支持部２１が壁スイッチ９の操作面と対向するようにスイッチカバー９１に固定されるとよい。
【００９３】
脚部２２が壁スイッチ９の操作面の側面を覆う場合、脚部２２は、壁スイッチ９の操作面の側面の一部の領域を少なくとも覆うように形成されてもよい。この場合、脚部２２は、一部の領域以外の領域から、壁スイッチ９の操作面に素手で触れることができないように形成されるとよい。具体的には、上記の実施の形態と同様に、脚部２２が平面略長方形状の支持部２１の短辺に設けられている場合に、脚部２２の長さは、リモートコントローラ１が壁９５に固定されたときの、壁９５から壁スイッチ９の操作面までの距離よりも長く、かつその壁９５から壁スイッチ９の操作面までの距離と人間の指の太さの合計値よりも短く形成されてもよい。例えば、壁９５から壁スイッチ９の操作面までの距離が１２ｍｍである場合、脚部２２の長さが１３〜１７ｍｍであってもよい。また、上記の実施の形態と同様に、脚部２２が平面略長方形状の支持部２１の短辺に設けられている場合に、脚部２２の長さが、リモートコントローラ１が壁９５に固定されたときの、壁９５から壁スイッチ９の操作面までの距離と同じに形成されてもよい。換言すると、脚部２２は、壁９５に固定された状態で、支持部２１の背面と壁スイッチ９の操作面とが接するように支持部２１を支持してもよい。例えば、壁９５から壁スイッチ９の操作面までの距離が１２ｍｍである場合に、脚部２２の長さが１２ｍｍであってもよい。また、脚部２２は、壁９５に固定された状態で、壁９５から壁スイッチ９の操作面までの距離と同じ長さに延びる柱状体であってもよい。
【００９４】
脚部２２は、壁スイッチ９の操作面の側面全体を覆うように形成されてもよい。脚部２２は、リモートコントローラ１が壁９５に固定された状態で、壁スイッチ９を取り囲むように形成されるとよい。例えば、リモートコントローラ１が壁９５に固定された状態で、支持部２１が壁スイッチ９よりも大きい平面形状に形成され、脚部２２がその平面形状の外周に沿って設けられてもよい。また、脚部２２は、環状に形成されてもよい。この場合に、環状の脚部２２は、リモートコントローラ１が壁９５に固定された状態で、その中心部に壁スイッチ９が配置可能な形状であればよい。換言すると、支持部２１および脚部２２の内側に壁スイッチ９が収容可能であればよい。脚部２２が壁スイッチ９を取り囲むように形成される場合、脚部２２は、リモートコントローラ１が壁９５に固定されたときの、壁９５から壁スイッチ９の操作面までの距離よりも長く形成されるとよい。
【００９５】
カバー２は、支持部２１、脚部２２のほかに、他の構造物を有してもよい。例えば、カバー２は、リモートコントローラ１が壁９５に固定された状態で、スイッチカバー９１または壁９５に当接可能な構造物を備えてもよい。例えば、カバー２は、支持部２１の背面に設けられ、その先端がスイッチカバー９１に当接可能な突起を有する形状に形成されてもよい。上記の実施の形態では、押しボタンスイッチ４の操作面が強く押された場合に、カバー２が変形して壁スイッチ９が不用意に切り替わる可能性があるが、このような突起を有する形状であれば、カバー２の変形が防止され、カバー２の変形によって壁スイッチ９が切り替わることを防止することが可能である。
【００９６】
上記の実施の形態では、光源８１の例として、ＬＥＤを挙げているが、本発明はこれに限られない。光源８１は、光を発する部材であればよい。例えば、光源８１は、半導体レーザー、有機ＥＬ（Ｅｌｅｃｔｒｏｌｕｍｉｎｅｓｃｅｎｃｅ）であってもよい。
【００９７】
上記の実施形態の一部又は全部は、以下の付記のようにも記載されうるが、以下には限られない。
【００９８】
（付記１）
電力の供給と遮断を切り替える壁スイッチを、素手で直に遮断状態に切り替える操作を阻止し、素手で取り外せないように固定可能なカバーと、
前記壁スイッチで電力の供給と遮断が切り替えられ、無線でオン／オフ状態を切り替え可能な電気機器に、前記オン／オフ状態を切り替える信号を送信する送信部と、
前記カバーに設けられ、前記送信部へ前記オン／オフ状態を切り替える信号の送信を指令する、素手で操作可能なスイッチと、
を備えることを特徴とするリモートコントローラ。
【００９９】
（付記２）
前記カバーは、前記壁スイッチを遮断状態に切り替える、前記壁スイッチの操作面を覆うように固定可能であることを特徴とする付記１に記載のリモートコントローラ。
【０１００】
（付記３）
前記カバーは、前記壁スイッチの前面を覆うように固定可能な板状体で構成されることを特徴とする付記２に記載のリモートコントローラ。
【０１０１】
（付記４）
前記カバーには、前記カバーを固定した状態で、前記壁スイッチを遮断状態に切り替える操作面に対向する位置に、指が挿入不能な第１の貫通孔が形成されたことを特徴とする付記１ないし３のいずれかに記載のリモートコントローラ。
【０１０２】
（付記５）
前記カバーには、前記カバーを固定した状態で、前記壁スイッチを供給状態に切り替える操作面に対向する位置に、素手で前記壁スイッチを供給状態に切り替え可能な第２の貫通孔が形成されたことを特徴とする付記１ないし４のいずれかに記載のリモートコントローラ。
【０１０３】
（付記６）
前記電気機器は複数の機能を有し、
前記スイッチは、前記複数の機能のうちの一部の機能について前記送信部にオン／オフ信号の送信を指令し、その他の機能についてオン／オフ信号の送信の指令をしないで該機能をオン状態に維持することを特徴とする付記１ないし５のいずれかに記載のリモートコントローラ。
【０１０４】
（付記７）
前記電気機器は、光源を有する照明器具であり、
前記送信部は、前記光源のオン／オフ状態を切り替える信号を送信することを特徴とする付記１ないし６のいずれかに記載のリモートコントローラ。
【０１０５】
（付記８）
付記１ないし６のいずれかに記載のリモートコントローラと、
光源と、
前記送信部が送信する前記オン／オフ状態を切り替える信号を受信する受信部と、
前記受信部が受信した前記オン／オフ状態を切り替える信号に基づいて前記光源の点灯／消灯状態を切り替える制御部と、
を備えることを特徴とする照明器具。
【符号の説明】
【０１０６】
１    リモートコントローラ
２    カバー
３    本体部
４    押しボタンスイッチ
４Ａ  押しボタンスイッチ
４Ｂ  押しボタンスイッチ
８    照明器具
９    壁スイッチ
１０    リモートコントローラ
２１    支持部
２２    脚部
２３    貫通孔
２４    貫通孔
２６    ネジ
２８    貫通孔
３１    電池室
３２    送信部
８１    光源
８２    電源部
８３    受信部
８４    制御部
８７    火災報知部
９１    スイッチカバー
９５    壁
【図１】
2015138624.tif 000003
【図２】
2015138624.tif 000004
【図３】
2015138624.tif 000005
【図４】
2015138624.tif 000006
【図５】
2015138624.tif 000007
【図６】
2015138624.tif 000008
【図７】
2015138624.tif 000009
【図８】
2015138624.tif 000010
【図９】
2015138624.tif 000011
【図１０】
2015138624.tif 000012